(57)【要約】      （修正有）【課題】端部が同じ長さに切りそろえられた一組の信号線中、機械的強度の弱い信号線が半田付された際に、製造工程や機器使用時に半田剥がれや断線を起こし難い半田ランド部の構造を提供する。【解決手段】プリント配線板上に複数並設して形成され、信号線３が半田付けされる複数の半田ランド部２ａ、２ｂ、２ｃ、２ｄにおいて、各半田ランド部２ａ、２ｂ、２ｃ、２ｄを並設する際に、機械的強度の弱い信号線３ｃが半田付される半田ランド部２ｃを他の半田ランド部２ａ、２ｂ、２ｄより信号線３側へ位置させて設ける。すると、半田ランド部２ｃに接続された信号線３ｃは、他の信号線３ａ、３ｂ、３ｄに対したるみを設けて半田付される。【選択図】図１
2006339535.tif 000002
【特許請求の範囲】
【請求項１】
プリント配線板上に複数並設して形成され、ケーブル内の信号線が半田付けされる複数の半田ランド部において、
各半田ランド部を並設する際に、機械的強度の弱い信号線が半田付けされる半田ランド部を他の半田ランド部よりケーブルの引き出し側へ位置させて設けることを特徴とする半田ランド部の構造。
【請求項２】
プリント配線板上に複数並設して形成され、ケーブル内の信号線が半田付けされる複数の半田ランド部において、
各半田ランド部を並設する際に、機械的強度の弱い信号線が半田付けされる半田ランド部は複数ある半田ランド部の中央寄りへ位置させて設けることを特徴とする半田ランド部の構造。
【発明の詳細な説明】
【技術分野】
【０００１】
この発明は、信号線を接続する半田ランド部の構造にかかり、詳細には、複数本からなる信号線を基板等に設けた半田ランド部に半田付する際、半田付した信号線が断線あるいは半田剥がれし難い半田ランド部の構造に関する。
【背景技術】
【０００２】
ポータブルタイプのＭＤプレーヤ、ＣＤプレーヤ、ＭＰ３プレーヤ等のオーディオ装置に於けるイヤーホーンケーブル等では、極細い信号線をプレーヤ本体あるいはイヤーホーン側で基板等の半田ランド部に半田付けして電気信号のやり取りを行っている。
また、これら装置の中には本体とイヤーホーンとの間に、ボリュームの調整等を行えるリモートコントロール装置を備えている装置もある。このリモートコントロール装置を備える装置では、信号線の線数が増えるとともに、場合によっては信号線を複数芯線からなる同軸ケーブルで構成したり、あるいは複数本の電線と同軸ケーブルとから信号線を構成する場合がある。
【０００３】
そして、信号線をオーディオ装置やイヤーホーンまたはリモートコントロール装置と接続する従来行われていた例を挙げる。
図３は、ポータブルオーディオ装置Ａに設けたリモートコントロール装置Ａ１部分の従来例を表し、図４はリモートコントロール装置Ａ１と信号線Ｌとの半田付状況を表す説明図である。
信号線Ｌの他端には、図３に表すように、ポータブルオーディオ装置Ａと接続可能な４つの接点を有するミニプラグＬ１が取付けられている。また、イヤーホーンＹには信号線ｌが接続されて延設され、先端にはリモートコントロール装置Ａ１と接続するためのステレオミニプラグｌ１が一体的に取付けられている。従って、リモートコントロール装置Ａ１は、イヤーホーンＹから延設された信号線ｌと接続するためのステレオミニジャック（図示せず）を内蔵し、ステレオミニプラグｌ１と接続可能であり、音声信号をイヤーホーンＹへ送信可能である。
【０００４】
リモートコントロール装置Ａ１は、ポータブルオーディオ装置Ａ１をコントロールするための各種スイッチ類や液晶表示部等を備えており、製造する際には、図４に表すように、内蔵する小型のプリント配線基板Ｐに信号線Ｌの各線を半田付する半田ランド部Ｐ１を設けてある。この半田ランド部Ｐ１は、図４に表すように、複数の信号線を有するケーブルの半田付作業を一括して簡便に行えるよう横並びに揃えて設けられているのが従来行われている一般的な例である。
一方、この半田ランド部Ｐ１に半田付される信号線Ｌは、４芯の信号線であり、かばん等に入れて或はポケットに入れてあるポータブルオーディオ装置Ａ１から、耳に装着してあるイヤーホーンＹ間に設けるので、極力軽く細い線であり且つ充分な信号伝送能力および機械的強度のある線が求められるので、細い４芯の線が使用される。
【０００５】
この信号線Ｌは、製造される際には、半田付される端部とは異なる端部にステレオミニプラＬ１が予め一体的に成型されている。そして、半田付される先端部は、それぞれの線の長さが揃えられており、各線の先端の被覆が剥かれ半田が載せられた状態で製造部品として供給されるのが一般的である。
【０００６】
また、ポータブルオーディオ装置Ａ１にラジオ機能が付加されてる場合には、信号線Ｌおよび信号線ｌをラジオ受信用のアンテナ線として利用する場合がある。
この場合には、左右それぞれのイヤーホーンに音声信号を伝送するライト側・レフト側イヤーホーンＹへのそれぞれのラインＬ２およびコモン線Ｌ３の３線と、アンテナ線Ｌ４との４線を用いるが、信号線Ｌおよび信号線ｌをアンテナとして用いる場合には、コモン線Ｌ３をアンテナのＧＮＤ線Ｌ５として用いる。
そして、アンテナを兼用する時には、コモン線Ｌ３であるＧＮＤ線Ｌ５とアンテナ線Ｌ４とは同軸ケーブルＬ６を用い、芯線をアンテナ線Ｌ４としＧＮＤ線Ｌ５をシールド線として用いる場合がある。
また、図５に表すような信号線Ｌの構成でも、複数本の線（Ｌ２，Ｌ３，Ｌ４）の中に他の線より細い線を用いる場合もある。
そして、これら信号線Ｌおよび信号線ｌは、オーディオ装置Ａ１とイヤーホーンＹ間で常に引っ張られる方向に力が加わっている状態で使用される。
【発明の開示】
【発明が解決しようとする課題】
【０００７】
ところが、信号線Ｌは部品として予め供給されるので、信号線ＬのミニプラグＬ１が取付けられていない端部は、予め長さを揃えられ被覆を剥かれて半田が載せられている。この場合には、従来例のような複数本の中の１本が細い場合や、同軸ケーブルＬ６のシールド線に比べて同軸ケーブルＬ６の芯線Ｌ４が細い（他の線に比べても細い）場合が生じ、これら細い線や芯線Ｌ４が横方向に揃って設けられているプリント配線基板Ｐの半田ランド部Ｐ１に半田付されていると、実際にオーディオ装置Ａ１を使用中に働く張力や製造工程で加わる張力等の外力に耐えられず、細い線や芯線Ｌ４が切断してしまったり半田剥がれを起こしてしまい、電気的に断線した状態となってしまうという問題点を有した。
【０００８】
そこで、発明者は、予め端部を揃えて切断され、且つ、剥かれて半田を盛られた信号線を用いて半田ランド部に半田付しても、断線や半田剥がれを起こし難い半田ランド部の構造を発明し提供する。
【課題を解決するための手段】
【０００９】
プリント配線板上に複数並設して形成され、信号線が半田付けされる複数の半田ランド部において、
各半田ランド部を並設する際に、機械的強度の弱い信号線が半田付けされる半田ランド部を他の半田ランド部より信号線側へ位置させて設けることを特徴とする半田ランド部の構造、
【００１０】
を提供する。従って、半田ランド部を構成するプリント配線基板等では、機械的強度の弱い信号線を半田付けする半田ランド部を他の信号線を半田付する半田ランド部より信号線側に下げて構成するので、機械的強度の弱い信号線が信号線側にずらして設けた半田ランド部に半田付され、信号線の長さに余裕が出来て機械的強度の強い信号線より先に断線あるいは半田剥がれを起こし難い。
更にこの発明では、
【００１１】
プリント配線板上に複数並設して形成され、ケーブル内の信号線が半田付けされる複数の半田ランド部において、
各半田ランド部を並設する際に、機械的強度の弱い信号線が半田付けされる半田ランド部は複数ある半田ランド部の中央寄りへ位置させて設けることを特徴とする半田ランド部の構造、
【００１２】
を提供する。従って、並設する半田ランド部のうち、機械的強度の弱い信号線が接続される半田ランド部が中央側に位置され、この半田ランド部に接続される信号線は、並設される両端側の半田ランド部に接続される信号線に対して長さに余裕が出来るので、ケーブルが引っ張られた際には、該長さの余裕によって引っ張られる力は両端側の機械的強度が強い信号線によって受けることとなり、機械的強度の強い信号線より先に断線あるいは半田剥がれを起こし難い。
尚、半田ランド部の構造を、
プリント配線板上に複数並設して形成され、信号線が半田付けされる複数の半田ランド部において、各半田ランド部を並設する際に、機械的強度の弱い信号線が半田付けされる半田ランド部を他の半田ランド部の中央寄りへ設けると共にケーブルの引き出し側へ位置させて設ける、
ことで、機械的強度の弱い信号線に対してより多くの弛みを持たせることが可能となり、信号線が半田ランド部の並設する側へ引っ張られる等して動かされても、機械的強度の弱い信号線の動きは両側の何れかに配設された信号線の機械的強度により維持されるので、機械的強度の弱い信号線が複数ある半田ランド部の端部に位置する場合に比し、機械的強度の弱い信号線が機械的強度の強い信号線より先に断線或は半田剥がれを起こしにくい。
【発明の効果】
【００１３】
従って、この発明によれば、複数の信号線のうち機械的強度の弱い信号線を、他の信号線を半田付けする半田ランド部とずらして設けた半田ランド部に半田付けすることで、信号線に働く引っ張る力等の機械的な外力が機械的強度の弱い信号線に加わり難くすることができるので、端部を揃えて部品として供給される信号線のうち機械的強度の弱い信号線に機械的な外力が集中することを防止し、半田剥がれや断線を防止することが出来る。
従って、従来同様に構成された信号線を用いて従来に比し半田剥がれや断線を起こし難い製品の供給が可能となる。
【００１４】
特に、複数の信号線に同軸ケーブルを入れて構成する複合ケーブルでは、同軸ケーブルの芯線が他の線に比べ細く機械的強度が弱くなるので、同軸ケーブルの芯線を他の信号線を半田付けする半田ランド部とずらして設けた半田ランド部に半田付けすることで同軸ケーブルの芯線の半田剥がれや断線を防止するのに効果的である。
【発明を実施するための最良の形態】
【００１５】
以下、図１に基づき説明する。
図１に表すように、基板１に設ける半田ランド２は、ポータブルオーディオ装置Ａと接続する信号線３の線数の４本に合わせたランド部２ａ乃至ランド部２ｄの４箇所を設ける。
この半田ランド２と半田付される信号線３は、図１に表すように、音声信号用の右チャンネル信号線３ａおよび左チャンネル信号線３ｂと、アンテナ線３ｃと、前記右チャンネル信号線３ａおよび左チャンネル信号線３ｂと対をなすコモン線３ｄとからなり、アンテナ線３ｃは同軸ケーブルの芯線、コモン線３ｄは同軸ケーブルの網線（場合によっては箔状の線）をそれぞれ使用して用いる。これら４本の線は同一の絶縁外皮３ｅによって１本の線として形成されている。
【００１６】
半田ランド２は、そのランド部２ａ乃至ランド部２ｄが並設されて設けられるが、信号線３のうち同軸ケーブルの芯線からなる機械的強度が最も弱いアンテナ線３ｃを半田付けするランド部２ｃのみ、信号線３が取付けられる方向、即ち、図１中右側に他のランド部２ａ、２ｂ、２ｄに対しずらせて設け、アンテナ線３ｃを半田付可能としてある。
このように、ランド部２ｃを他のランド部２ａ、２ｂ、２ｄより幾分信号線３が設置される側へ設けることで、半田付されるアンテナ線３ｃには他の各信号線３ａ、３ｂ、３ｄより長さの余裕が生じ、信号線３が設置される方向へ信号線３が引っ張られてもアンテナ線３ｃには他の信号線３ａ、３ｂ、３ｄより機械的な力が加わらないようにする。
【実施例１】
【００１７】
以下に、この発明の実施例を、図面に基づき説明する。図１はこの発明の実施例を表す平面説明図であり、図２はこの発明が実施されている装置全体を表す説明図である。
【００１８】
１は、この発明が実施されるプリント配線基板である。プリント配線基板１は、図１に表すように、プリント配線された配線に対して外部からの線を半田付するための半田ランド２を端部に設け、信号線３を半田付可能に構成される。また、プリント配線基板１には、コンデンサー等の電子部品４が実装されている。
このプリント配線基板１は、図２に表すように、ポケットやかばん等に入れて持ち運びが可能なポータブルタイプのＭＤプレーヤ・ＣＤプレーヤ・ＭＰ３プレーヤ等のオーディオ装置Ａに付属されイヤーホーンＹとオーディオ装置Ａとの中間に設けてオーディオ装置Ａを制御したりイヤーホーンＹの音量を制御するためのリモートコントロール装置Ａ１内に設置され、これら制御を可能とさせるものである。
そこで、本実施例が実施されるポータブルオーディオ装置Ａの詳細を説明する。
ポータブルオーディオ装置Ａはこの実施例ではＡＭ・ＦＭラジオ機能を有したＭＤプレーヤであり、リモートコントロール装置Ａ１を接続可能な接続ジャックＡ２が設けられている。リモートコントロール装置Ａ１は、該接続ジャックＡ２と接続可能な接続プラグＡ１１が信号線３によって接続されている。即ち、信号線３の先端に接続プラグＡ１１が接続されており、信号線３の基端部は図１に表す半田ランド２と半田付されている。また、リモートコントロール装置Ａ１はイヤーホーンＹと接続可能なイヤーホーンジャックＡ１２を備えており、イヤーホーンＹ本体に基端部が接続されたイヤーホーン信号線Ｙ１の先端部に設けるイヤーホーンプラグＹ２と接続可能である。
【００１９】
このように構成されるイヤーホーンＹは、ステレオ音声信号を送るための左右それぞれのチャンネル線とコモン線との少なくとも３本の信号線が必要なため、イヤーホーン信号線Ｙ１は３芯の信号線から構成されている。そして、イヤーホーン信号線Ｙ１は、ポータブルオーディオ装置Ａがラジオを受信するためのアンテナ線としての機能を兼ね備えている。従って、リモートコントロール装置Ａ１とは、イヤーホーン信号線Ｙ１によって音声信号およびアンテナ受信信号の授受を行っている。
一方、ポータブルオーディオ装置Ａ本体からリモートコントロール装置Ａ１への信号線３は、リモートコントロール装置Ａ１によって制御される制御信号および左右チャンネルの音声信号を送受信、並びに、ラジオ受信用のアンテナ線による受信が可能でなければならないので、信号線３は、音声用の線３本とアンテナ用の線１本との４本が設けられている。そして、これら信号線３を接続ジャックＡ２および接続プラグＡ１１によってポータブルオーディオ装置Ａと接続している。
このように構成される装置において、リモートコントロール装置Ａ１では、プリント配線基板１によって電子回路を構成し、ポータブルオーディオ装置ＡとイヤーホーンＹとの間で音声信号の授受およびアンテナ受信信号の授受並びにポータブルオーディオ装置Ａへの制御を行っている。
【００２０】
以下に、リモートコントロール装置Ａ１を詳説する。
リモートコントロール装置Ａ１は、プリント配線基板１に施されたプリント配線に合わせて電子部品であるコンデンサ４が実装されている。また、プリント配線基板１の図１中右側には、信号線３を半田付等によって電気的に接続するための半田ランド２を設ける。半田ランド２は、信号線３の線数の４本に合わせた４箇所のランド部２ａ乃至ランド部２ｄから構成し、信号線３の配設に合わせてプリント配線基板１の端部（即ち、図１中右側）に設ける。
この半田ランド２と半田付される信号線３は、図１に表すように、音声信号用の右チャンネル信号線３ａおよび左チャンネル信号線３ｂと、アンテナ線３ｃと、前記右チャンネル信号線３ａおよび左チャンネル信号線３ｂと対をなすコモン線３ｄとからなり、これら４本の線は同一の絶縁外皮３ｅによって１本の信号線３として形成する。そして、右チャンネル信号線３ａおよび左チャンネル信号線３ｂは被覆された単芯の縒線から構成する。また、アンテナ線３ｃおよびコモン線３ｄは、アンテナ線３ｃの長さ部分が受信に寄与しないように同軸ケーブルによって構成し、アンテナ線３ｃは芯線、コモン線３ｄは網線（場合によっては箔状の線）を用いている。そして、該信号線３は、先端に接続プラグＡ１１が予め接続され、半田ランド２と半田付される基端部は、予め長さが切りそろえられ、且つ被覆が剥かれて半田ランド２へ半田付可能な状態な部品として供給される。本実施例のように信号線３に同軸ケーブルを用いた場合の芯線であるアンテナ線３ｃや、詳細は記載しないが複数本の単芯の縒り線からなっても良い。
【００２１】
次に半田ランド２について詳説する。
半田ランド２は、前記の通り半田付する信号線３の本数に合わせてランド部２ａ乃至２ｄからなる。そして、半田ランド２には、図１中下から上へ右チャンネル信号線３ａ、左チャンネル信号線３ｂ、アンテナ線３ｃ（同軸ケーブルの芯線）、コモン線３ｄ（同軸ケーブルの縒り線）の順に半田付される。それぞれのランド部２ａ乃至２ｄは、プリント配線基板１の信号線３が延設される側の端部に信号線３が延設される方向に交差するように並設するが、信号線３のうちアンテナ線３ｃ（同軸ケーブルの芯線）が半田付されるランド部２ｃは、他のランド部２ａ、２ｂ、２ｄに比し０．５ｍｍ程度信号線３へ設ける。
【００２２】
そして、半田ランド２に設けた各ランド部２ａ乃至２ｄのそれぞれへ、右チャンネル信号線３ａ、左チャンネル信号線３ｂ、アンテナ線３ｃ、コモン線３ｄを自動或は手作業によって半田付し、信号線３をリモートコントロール装置Ａ１へ電気的に接続させて取付ける。
【００２３】
このように、他の線に比し機械的強度の弱いアンテナ線３ｃ（同軸ケーブルの芯線）が半田付されるランド部２ｃを信号線３側へずらしてあるので、組立工程において信号線３が引っ張られても、最も機械的強度の弱いアンテナ線３ｃには、他の線に比し、アンテナ線３ｃを半田付したランド部２ｃを他のランド部２ａ、２ｂ、２ｄよりずらして設けた分のたるみがあるので、引っ張られる力が加わらない或は軽減される。また、組み立てられたリモートコントロール装置Ａ１をポータブルオーディオ装置Ａへ接続しリモートコントロール装置Ａ１にイヤーホーン信号線Ｙ１を接続して使用している時に、利用者の動き等によって信号線３が引っ張られるようなことがあっても、同様にアンテナ線３ｃ（同軸ケーブルの芯線）に引っ張られる力が加わらない或は軽減される。
【００２４】
このように、本発明によれば、一組に纏められて各ランド部へ接続される複数からなる信号線のうち機械的強度の弱い信号線を接続するランド部を他の線を接続するランド部より信号線の配設側へずらして設けるので、一組に纏められた信号線に外力が加わった時、該外力が機械的強度の弱い信号線に対し作用しないか或は他の信号線より少なく作用するように出来る。
尚、この発明では、信号線を音声信号線並びにアンテナ線として実施例を説明したが、一組に纏められた複数からなる線であって、これら複数の線に機械的強度の弱い線が存在するような一組の電線を接続するランド部の構造であれば、特に上記実施例に限定されない。勿論、従来例の図４に表すように同軸ケーブルを用いない場合でも機械的強度の弱い線を接続するランド部をずらして設ければ上記実施例と同様の作用および効果を有するものである。
更に、上記では、最も機械的強度の弱い線を中央側に設けたランド部に接続する例を説明したが、機械的強度が最も弱い線を端部に設けたランド部に接続するようにしても良く、どの位置のランド部と接続させるように構成してもよい。更にまた、一組に纏められた信号線３も４本に限らずそれ以上或はそれ以下であっても実施可能であり線数に限定されず、この場合には、機械的強度の弱い線を接続するランド部を各ランド部より中央側へ位置させるか、望ましくは中央に位置させることで、機械的強度の弱い線に出来たたるみが最も効果的に作用できる。
【産業上の利用可能性】
【００２５】
この発明は、上記のようなポータブルオーディオ装置等のリモートコントロール装置から延設される信号線を電気的に接続する場合に限らず、イヤーホーン信号線とイヤーホーンとの接続等にも利用でき、ポータブルオーディオ装置等の電子機器に設けるプリント配線基板に一組に纏められた複数からなる電線を半田付等によって電気的に接続固定する際に利用可能であるので、一組に纏められた複数からなる電線をプリント配線基板等と電気的に固定接続するあらゆる場面で利用可能である。
【図面の簡単な説明】
【００２６】
【図１】この発明の実施例を表す平面説明図
【図２】この発明が実施されている装置全体を表す説明図
【図３】従来例が実施された装置全体を表す説明図
【図４】従来例を表す平面説明図
【図５】他の従来例を表す平面図
【符号の説明】
【００２７】
Ａ    ポータブルオーディオ装置
Ａ１  リモートコントロール装置
Ａ１１  接続プラグ
Ａ１２  イヤーホーンジャック
Ａ２  接続ジャック
Ａ３  
Ｙ    イヤーホーン
Ｙ１  イヤーホーン信号線
Ｙ２  イヤーホーンプラグ
１  プリント配線基板
２  半田ランド
２ａ〜２ｄ  ランド部
３  ケーブル
３ａ  右チャンネル信号線
３ｂ  左チャンネル信号線
３ｃ  アンテナ線（同軸ケーブル芯線）
３ｄ  コモン線（同軸ケーブル網線）
４  電子部品（コンデンサ）
【図１】
2006339535.tif 000003
【図２】
2006339535.tif 000004
【図３】
2006339535.tif 000005
【図４】
2006339535.tif 000006
【図５】
2006339535.tif 000007